(57)【特許請求の範囲】
【請求項１】
水平コンベアを備えた包装テーブルの上方にロールフィルムを載置するフィルム載置部が設けられていると共に、該フィルム載置部と包装テーブルとの間に、フィルム載置部からフィルムを包装テーブル上に繰り出す繰出手段と、繰り出されたフィルムを水平方向から切断する切断手段とが設けられている一方、繰出手段が水平方向で相対向して当接する一対の繰出ローラでなり、両ローラが弾性部材により構成され、かつ、両繰出ローラの下方にこれらのローラと対応する従動ローラがそれぞれ設けられていると共に、これら両従動ローラが両繰出ローラの当接する垂直平面を対称面として互いに前後方向に離反して設けられ、かつ、各繰出ローラとこれに対応する従動ローラとの間にフィルムの巻き付きを防止する繰出ベルトがそれぞれ張設されていることを特徴とする包装機。
【請求項２】
包装テーブルの中央部上方にフィルム載置部と繰出手段と切断手段が配置されている一方、包装テーブルにその中央部から前後両側に延び、フィルムを包装テーブルの中央から前後逆方向に搬送する前後一対の水平コンベアが設けられている一方、切断手段と包装テーブルの間に、繰り出されくるフィルムの先端部を前後一対の水平コンベアのうち、所望する側の水平コンベアに選択的に載せ換える載換手段が設けられていることを特徴とする請求項１に記載の包装機。
【請求項３】
載換手段が、切断手段と包装テーブルとの間に繰り出されるフィルムの前後両位置に配設される前後一対のエアー吹出管と、これら吹出管からのエアーの吹き出しを電気信号でいすれか一方のみに選択する操作部とを備え、該操作部の操作によるエアー吹出管の選択により、フィルムの先端部を所望する側の水平コンベアにエアーの吹き付け力で載せ換えるようにしたことを特徴とする請求項２に記載の包装機。
【請求項４】
載換手段が、切断手段と包装テーブルとの間に繰り出されるフィルムの前後両位置に揺動可能に配置される前後一対の切換板を備え、これらの切換板の傾きを前後に切り換えることにより、繰り出されてくるフィルムの先端部を所望する側の水平コンベアに案内して載せ換えるようにしたことを特徴とする請求項２に記載の包装機。
【発明の詳細な説明】
【０００１】
【発明の属する技術分野】
本発明は、カットされた食肉をポリエチレンフィルム等で包装する際に使用される包装機に関する。
【０００２】
【従来の技術】
従来、この種の包装機としては、たとえば特開平７−２５７５１５号公報に示されている。この公報のものは、水平コンベアを備えた包装テーブルと、該テーブルの下方に配置されるロールフィルム載置部と、該フィルム載置部の上方から包装テーブルの一端にわたって傾斜状に設けられ、フィルムを上下搬送ベルトで挟持しながら包装テーブル上に搬送する傾斜コンベア部と、搬送されたフィルムを切断するカッターと、傾斜コンベア部とカッターとの間に設けられるスクレーパーとを備えた構成でなる。そして、フィルムが傾斜コンベア部から包装テーブルに引き出される際に、スクレーパーにより該コンベア部から強制的に剥離されて、包装テーブルの水平コンベアに乗り移り、その後、上方から下方に移動するカッターで所定寸法に切断されるようになされている。
【０００３】
【発明が解決しようとする課題】
ところで、上記した包装機にあっては、包装テーブルの一端部にカッターやスクレーパー及び傾斜コンベアが配置される構造であるため、たとえば部屋の清掃などを行う際に、包装テーブルの上面一端部に残されたフィルムがその周囲からもらう水分の付着で濡れ易く、そのため、フィルムが傾斜コンベア部に密着してスクレーパーでは剥がれず、該コンベア部の上側搬送ベルトに巻き付いてしまう問題があり、その上、この巻き付きを取る場合、カッターが邪魔になり作業しずらいものであった。さらに、傾斜コンベア部がフィルムを斜め方向に搬送したうえで、包装テーブルの水平コンベア上に送り込む構造であるため、傾斜コンベア部の上下搬送ベルトの隙間と各挟持ローラの圧接具合が適正となるように傾斜コンベア部における上下の搬送ベルトとその各挟持ローラとが正確な位置関係を保つ必要があり、その調整が非常に複雑で煩雑となる問題を有していた。
【０００４】
そこで、本発明は安価なロールフィルムを用いて効率よく包装作業を行いながら、部屋の清掃を行う際に、フィルムが濡れてフィルム繰出手段に巻き付くといったトラブルがなく、構造簡単な包装機の提供を課題とする。
【０００５】
【課題を解決するための手段】
上記課題を解決するために、本願の請求項１に記載の発明は、水平コンベアを備えた包装テーブルの上方にロールフィルムを載置するフィルム載置部が設けられていると共に、該フィルム載置部と包装テーブルとの間に、フィルム載置部からフィルムを包装テーブル上に繰り出す繰出手段と、繰り出されたフィルムを水平方向から切断する切断手段とが設けられている一方、繰出手段が水平方向で相対向して当接する一対の繰出ローラでなり、両ローラが弾性部材により構成され、かつ、両繰出ローラの下方にこれらのローラと対応する従動ローラがそれぞれ設けられていると共に、これら両従動ローラが両繰出ローラの当接する垂直平面を対称面として互いに前後方向に離反して設けられ、かつ、各繰出ローラとこれに対応する従動ローラとの間にフィルムの巻き付きを防止する繰出ベルトがそれぞれ張設されていることを特徴とする。
【０００６】
また、請求項２に記載の発明は、包装テーブルの中央部上方にフィルム載置部と繰出手段と切断手段が配置されている一方、包装テーブルにその中央部から前後両側に延び、フィルムを包装テーブルの中央から前後逆方向に搬送する前後一対の水平コンベアが設けられている一方、切断手段と包装テーブルの間に、繰り出されくるフィルムの先端部を前後一対の水平コンベアのうち、所望する側の水平コンベアに選択的に載せ換える載換手段が設けられていることを特徴とする。
【０００７】
また、請求項３に記載の発明は、載換手段が、切断手段と包装テーブルとの間に繰り出されるフィルムの前後両位置に配設される前後一対のエアー吹出管と、これら吹出管からのエアーの吹き出しを電気信号でいずれか一方のみに選択する操作部とを備え、該操作部の操作によるエアー吹出管の選択により、フィルムの先端部を所望する側の水平コンベアにエアーの吹き付け力で載せ換えるようにしたことを特徴とする。
【０００８】
さらに、請求項４に記載の発明は、載換手段が、切断手段と包装テーブルとの間に繰り出されるフィルムの前後両位置に揺動可能に配置される前後一対の切換板を備え、これらの切換板の傾きを前後に切り換えることにより、繰り出されてくるフィルムの先端部を所望する側の水平コンベアに案内して載せ換えるようにしたことを特徴とする。
【００１２】
【発明の実施の形態】
以下、本発明の実施の形態を図面に基づいて説明する。
図１は、本発明の包装機を示し、該包装機１は、水平コンベア２を備えた作業者の腰の高さ程度の包装テーブル３の後部上方に、ロールフィルム４を載置するフィルム載置部５が設けられていると共に、該フィルム載置部５と包装テーブル３との間に、フィルム載置部５から垂下したフィルム４を包装テーブル３上に繰り出す垂直コンベアタイプの繰出部（以下垂直コンベアと称す）６と、繰り出されたフィルム４を水平方向から切断するカッターを備えた切断部７とが設けられている。
【００１３】
包装テーブル３は、駆動ローラ２ａと従動ローラ２ｂとに送りベルト２ｃを張設した水平コンベア２を有し、該水平コンベア２により繰出部６で下方へ繰り出されたフィルム４を包装テーブル３の前部側に送り出すようになされている。また、包装テーブル３の後部両側には、図１及び図２に示すように相対向する支持板８ａ，８ｂが立設されている。
【００１４】
フィルムロール載置部５は、上記支持板８ａ，８ｂ間に複数本の受けローラ９…９が介装されることにより構成されている。
【００１５】
垂直コンベア６は、上記支持板８ａ，８ｂにおけるフィルムロール載置部５の一側部下方に、前後で対をなす繰出ベルト１１，１２が上下方向に延びるように配設されている。後側繰出ベルト１１は、上方の駆動側となる繰出ローラ１１ａと下方の従動ローラ１１ｂとの間に張設され、また、前側繰出ベルト１２は、繰出ローラ１１ａに対して当接するようにバネ（図示せず）により付勢される上方の繰出ローラ１２ａと下方の従動ローラ１２ｂとの間に張設されている。その場合、繰出ローラ１１ａ，１２ａは水平方向で相対向すると共に弾性部材で構成され、従動ローラ１１ｂ，１２ｂも水平方向で相対向すると共に金属ローラで構成されている。また、繰出ローラ１１ａに対し繰出ローラ１２ａは上記バネに抗して押し開くことにより離間可能に設けられており、また下方側の従動ローラ１１ｂ，１２ｂは両繰出ローラ１１ａ，１２ａの当接する垂直平面を対称面として、前後方向に互いに離反して設けられている。また、両ベルト１１，１２としては、図示していないが、それぞれ複数本づつ紐状のベルトを用いており、これら各ベルト１１，１２を互いに千鳥状に配置している。そして、繰出ローラ１１ａ，１２ａの外周面には各紐状のベルト１１，１２の外径よりやや深めの溝を設け、各紐状のベルト１１，１２が各ローラ１１ａ，１２ａローラ面よりも突出しない構造に設けている。つまり、常時は、上方側では繰出ローラ１１ａ，１２ａが接触し、下方では従動ローラ１１ｂ，１２ｂが接触しないように離反した構造として、各繰出ローラ１１ａ，１２ａとこれに対応する従動ローラ１１ｂ，１２ｂとの間に張設された各紐状のベルト１１，１２により、繰り出されるフィルム４の繰出ローラ１１ａ，１１ｂへの巻き付きを防止する構造となされている。
【００１６】
なお、繰出ベルト１１，１２としては、上記のように複数本の紐状ベルトを用いる他、複数の帯状ベルトを用いたり或いはフィルムの幅よりも幅広の一つのベルトであってもよい。
【００１７】
切断部７は、前側繰出ベルト１２の下方に固定される上下一対のフィルム受体１３，１３と、後側繰出ベルト１１の下方に水平移動可能に設けられ、上下一対のフィルム押え板１４，１４とカッター１５とを有するカッターホルダ１６とを備えている。上下フィルム受体１３，１３にはカッター１５の挿通を許し、その挿通時にフィルム４を切断するための隙間が設けられている。上下フィルム受体１３，１３は前側繰出ベルト１２における従動ローラ１２ｂの内側外周端の真下よりもその中心側寄りにずらして設けられ、繰り出されてくるフィルム４との干渉をなくすようになされている。
【００１８】
また、カッターホルダ１６にはカッター１５が固定されると共に、カッター１５の上下位置に上下一対のフィルム押え板１４，１４がバネ１７を介してフィルム受体１３，１３と対向するように取付けられている。カッターホルダ１６は、カッタークランク１８に連結されて前後に往復動するコンロッド１９に連結されている。カッタークランク１８は一方側支持板８ａに設けられた第１モータ２１によりプーリ２２とベルト又はチェーン２３を介して回転される。そして、カッタークランク１８の回転によりコンロッド１９が往復動され、その往動によりカッターホルダ１６を前進させて、フィルム押え板１４，１４でフィルム４をフィルム受体１３，１３に押え付けて保持し、その保持状態で、カッター１５をフィルム受体１３，１３の隙間に突入させてフィルム４を切断する。その後コンロッド１９の復動によりカッターホルダ１６を後退させ図２に示す退避位置に位置させる。この退避位置では、上下フィルム押え板１４，１４は駆動側の繰出ベルト１１における従動ローラ１１ｂの内側外周端の真下よりもその中心側寄りにずれるように構成されており、これにより繰り出されてくるフィルム４との干渉をなくすようになされている。
【００１９】
また、他方側支持板８ｂには、図２に示すように水平コンベア２の駆動ローラ２ａと繰出ベルト１１の駆動側繰出ローラ１１ａを駆動する第２モータ２４が設けられている。駆動ローラ２ａと駆動側繰出ローラ１１ａは、第２モータ２４側の出力プーリ２５とベルト又はチェーン２６とにより、駆動ローラ２ａの側面に形成された入力プーリ部（図示せず）と駆動側繰出ローラ１１ａの側面に形成された入力プーリ部（図示せず）を介して回転される。第２モータ２４は、フィルム４を繰り出すときに一定時間回転され、ベルト又はチェーン２６を介して駆動ローラ２ａの入力プーリ部と駆動側繰出ローラ１１ａの入力プーリ部とを同時に回転する。その場合、水平コンベア２の送り出し速度は垂直コンベア６の繰出速度と同じか、水平コンベア２の送り出し速度が垂直コンベア６の繰出速度よりもやや速く設定される。なお、２個のモータを用いて上記駆動ローラ２ａと駆動側繰出ローラ１１ａとをそれぞれ個別に駆動してもよいことは勿論である。
【００２０】
また、両支持板８ａ，８ｂにおけるフィルム受体１３と包装テーブル３との間で繰り出されるフィルム４の前側位置には、下方にエアーを吹き出す押え用のエアー吹出管２７が水平状に設けられている。この吹出管２７から吹き出すエアーにより水平コンベア２によって前方に送り出されるフィルム４を該コンベア側に押え付け、そのフィルム４の前方への送り出しが適確に行われるようになされている。なお、水平コンベアの送りベルトの材質によっては、つまりフィルムがくっつき易い材質のものを使用している場合には必ずしも吹き出し管２７は必要ではない。
【００２１】
また、一方側支持板８ａには駆動ローラ２ａの回転数を計数してロールフィルム４の繰出長さを検出するロータリエンコーダ２８が設けられ、該エンコーダ２８が計数して設定値に達したとき、第２モータ２４を停止するようになされている。さらに一方側支持板８ａには、作業者の操作で水平コンベア２と垂直コンベア６と切断部７及び押え用のエアー吹出管２７を予め設定されたタイミングで作動させるためのスタートセンサ２９が設けられている。
【００２２】
次に、以上のように構成される包装機の作用について説明する。
まず、ロールフィルム４を受けローラ９…９に載置して、該フィルム４の巻き端部を繰出ベルト１１，１２の上部間に挿入する。次に、作業者のスタートセンサ２９を遮る動作で、スタートセンサ２９をオンし第２モータ２４を駆動して繰出ローラ１１ａ，１２ａ及び繰出ベルト１１，１２を回転させる。これにより、フィルム４は繰出ローラ１１ａ，１２ａ及び繰出ベルト１１，１２により繰出ローラ１１ａ，１２ａに巻き付くことなく繰り出されると共に、該フィルム４は自重により下方に垂下してフィルム受体１３，１３とフィルム押え板１４，１４間を通過したのち水平コンベア２上に達する。また第２モータ２４の駆動により繰出ベルト１１，１２の回転と同時に水平コンベア２の送りベルト２ｃも回転しているので、水平コンベア２上に達したフィルム４は、水平コンベア２の送りベルト２ｃに載って前方へ送り出される。そして、ロータリエンコーダ２８が駆動側繰出ローラ１１ａの回転数を計数して予め設定したフィルム切断長さの設定値に達すると、第２モータ２４が停止される。その後、第１モータ２１が１回転だけ回って停止する。これにより、カッタークランク１８及びコンロッド１９を介してカッターホルダ１６が前進し、フィルム押え板１４，１４とフィルム受体１３，１３とでフィルム４を押え付ける。その後、その状態でカッター１５がフィルム受け体１３，１３の隙間に突入してフィルム４を切断する。然る後、カッターホルダ１６が後退してカッター１５及びフィルム押え板１４，１４が図２に示す退避位置に移動しその位置で停止する。
【００２３】
そして、切断されたフィルム４は、その後端部が水平コンベア２上に落下し、フィルム４が包装テーブル上３に拡げられた状態になる。この状態で作業者はフィルム４上に肉塊等を置き手でまるめて包むのである。
【００２４】
また、上記第２モータ２４のスタートは、スタートセンサ２９を手で遮る方法で肉塊を取りに行く一連の動作の中で行われ、スイッチボタンなどに直接手で触れることもなく衛生的に行える。さらに、作業者が肉塊を取りに行って持ってくれば、その間にフィルム４が包装テーブル３上に拡げた状態で送り出されてくるので、肉塊を載せて包み込む作業が待時間や無駄な動作を行うことなくスムースに行うことができる。
【００２５】
また、包装テーブル３の上方に切断部７や垂直コンベア６が設けられているので、作業途中や作業終了後、部屋を清掃する時に、周囲よりもらう水分によりフィルム４の先端部などが濡れることがあっても切断部７や垂直コンベア６に該フィルム４が付着するようなことがなく、垂直コンベア６へのフィルムの巻き込みなどのトラブルを防止できる。さらに、繰出手段として、相対向して上下方向に延びる前後一対の繰出ベルト１１，１２を備えた垂直コンベア６を用い、上部側の繰出ローラ１１ａ，１２ａを接触させ下部側の従動ローラ１１ｂ，１２ｂを離反させるよう構成しているので、該ベルト１１，１２によりフィルム４の繰出ローラ１１ａ，１２ａや従動ローラ１１ｂ，１２ｂへの巻き付きを積極的に防止でき、フィルム４を所定の位置に垂下させることが可能となる。
【００２６】
図３は別の実施の形態を示すもので、二人の作業者が一つの包装機に向い合って作業できる構成としたものである。この包装機は、包装テーブル３の中央部上方にフィルム載置部５と垂直コンベア６と切断部７が配置される一方、包装テーブル３にその中央部から前後両側に延び、フィルム４を包装テーブル３の中央から前後逆方向に搬送する前後一対の水平コンベア２Ａ，２Ｂが設けられ、かつ、切断部７と包装テーブル３との間に、繰り出されてくるフィルムの先端部を前後一対の水平コンベア２Ａ，２Ｂのうち、所望する側の水平コンベアに選択的に載せ換える載換手段３１が設けられた構成となっている。なお、水平コンベア２Ａ，２Ｂにはそれぞれ駆動用のモータ（図示せず）が設けられている。
【００２７】
載換手段３１としては、繰り出されるフィルム４の前後両側位置に配設され、それぞれフィルム４に向かってエアーを吹き出す左右一対の載換用のエアー吹出管３２Ａ，３２Ｂと、これら吹出管３２Ａ，３２Ｂからのエアーの吹き出しを電気信号で切換弁（図示せず）の切換えによりいずれか一方のみに選択するスタートセンサ３３Ａ，３３Ｂとを備えている。なお、エアー吹出管３２Ａ，３２Ｂの前後方向外側には、下方にエアーを吹き出す押え用のエアー吹出管３４Ａ，３４Ｂが配設され、これらの吹出管３４Ａ，３４Ｂも上記スタートセンサ３３Ａ，３３Ｂの操作に関連して、エアーが吹き出される載換用のエアー吹出管とは反対側に位置する押え用のエアー吹出管、たとえば載換用のエアー吹出管３２Ｂからエアーが吹き出される場合には押え用のエアー吹出管３４Ａからエアーが吹き出されるようになされている。なお、フィルム載置部５と垂直コンベア６と切断部７の構成は上記した実施の形態と同じものであるので、その構成及び作用については省略する。
【００２８】
このように構成した場合、たとえば、前方側の作業者が先にスタート用のセンサ３３Ａを作動させると、水平コンベア２Ａと垂直コンベア６とが同時に回転される。そして、フィルム４が繰り出されて包装テーブル３に達する直前に、図３に示すように、まず、載換用のエアー吹出管３２Ｂと押え用のエアー吹出管３４Ａとからエアーが吹き出すように電気的に制御されて、エアー吹出管３２Ｂから吹き出される横風によりフィルム４が水平コンベア２Ａ上に載るように押し込まれる。そして、フィルム４が水平コンベア２Ａ上に載り移ったタイミングで、該エアー吹出管３２Ｂからのエアーの吹き出しが停止される。次に、フィルム４が水平コンベア２Ａ上に載り移ったタイミングで、押え用のエアー吹出管３４Ａからエアーが吹き出され、その下方への風によりフィルム４を水平コンベア２Ａに押し付けながら、該フィルム４を水平コンベア２Ａにより前方側に送り出す。そして、フィルム４が所定長さ繰り出されるとロータリエンコーダ２８からの計数信号で水平コンベア２Ａと垂直コンベア６とが同時に停止され、カッター１５の移動によりフィルム４を切断する動作が行われる。カッター１５によるフィルムの切断後、前方側の作業者が包装テーブル上３に拡げられたフィルム４上に肉塊等を置き手でまるめて包むのである。なお、押え用のエアー吹出管３４Ａはフィルム４が水平コンベア２Ａ上に載り移ってから、次のスタート信号が入るまでエアーが吹き出すようになされている。
【００２９】
一方、後方側の作業者が前方側の作業者に遅れて又は上記カッター１５の切断動作終了後にスタートセンサ３３Ｂを作動させると、上記カッター１５の切断動作が終了した時点で、水平コンベア２Ａと垂直コンベア６とが回転される。そして、フィルム４が繰り出されて包装テーブル３に達する直前に、載換用のエアー吹出管３２Ａが水平コンベア２Ｂにエアーを吹き出し、その後、押え用のエアー吹出管３４Ｂからエアーが吹き出すように電気的に制御される。エアー吹出管３２Ａから吹き出される横風によりフィルム４は水平コンベア２Ｂ上に載るように押し込まれる。さらに、フィルム４は押え用のエアー吹出管３４Ｂから吹き出される下方への風により水平コンベア２Ｂに押し付けられながら、水平コンベア２Ｂにより前方側に送り出される。そして、フィルム４が所定長さ繰り出されるとロータリエンコーダ２８からの計数信号で水平コンベア２Ｂと垂直コンベア６とが同時に停止される。その後、カッター１５の移動によりフィルム４を切断する動作が行われ、カッター１５によるフィルムの切断後、前方側の作業者は包装テーブル上３に拡げられたフィルム４上に肉塊等を置き手でまるめて包むのである。
【００３０】
このように、１台の包装機で二人が作業でき、交互に包装作業をロスなく行えると共に垂直コンベア６や切断部７を共用できるのでコストをより安くできる。また、フィルム４の水平コンベア２Ａ又は２Ｂへの載せ換え作業がスタートセンサ３３Ａ，３３Ｂの簡単な操作だけで楽に行うことができる。
【００３１】
また、載換手段３１としては、図４に示すように切断部７と包装テーブル３との間で繰り出されるフィルム４の前後両側位置に揺動可能に配置される前後一対の切換板３５Ａ，３５Ｂを用い、これらの切換板３５Ａ，３５Ｂを回動軸３６Ａ，３６Ｂを支点としてその傾きを前後に同時に切り換えることにより、繰り出されてくるフィルム４の先端部を所望する側の水平コンベア２Ａ又は２Ｂに案内して載せ換えるように構成してもよい。このように構成した場合にも、フィルム４の水平コンベア２Ａ又は２Ｂへの載せ換え作業が適宜切換機構（図示せず）を用いてスイッチのワンタッチ操作だけで楽に行うことができ、その上、載換手段３１の構造を簡単にでき、安価に取付けることができる。
【００３２】
【発明の効果】
以上のように本発明によれば、水平コンベアを備えた包装テーブルの上方に、ロールフィルムを載置するフィルム載置部とフィルムを包装テーブル上に繰り出す繰出手段と繰り出されたフィルムを水平方向から切断する切断手段とが設けられている一方、繰出手段が水平方向で相対向して当接する一対の繰出ローラでなり、両ローラが弾性部材により構成され、かつ、両繰出ローラの下方にこれらのローラと対応する従動ローラがそれぞれ設けられていると共に、これら両従動ローラが両繰出ローラの当接する垂直平面を対称面として互いに前後方向に離反して設けられ、かつ、各繰出ローラとこれに対応する従動ローラとの間にフィルムの巻き付きを防止する繰出ベルトがそれぞれ張設されているから、安価なロールフィルムを用いて効率よく包装作業を行うことができながら、部屋の清掃を行う際に、周囲よりもらう水分によりフィルムの先端部などが濡れることがあっても該フィルムが切断手段や繰出手段に付着することがなく、繰出手段へのフィルムの巻き込みなどのトラブルを防止できる。しかも、繰出手段として、相対向して上下方向に延びる前後に対の繰出ベルトを備えた垂直コンベアタイプの繰出部を用い、上部側繰出ローラを接触させ下部側の従動ローラを離反させるように構成したから、両繰出ベルトによりフィルムの繰出ローラや従動ローラへの巻き付きを積極的に防止でき、フィルムを所定の位置に垂下させることができる。
【００３４】
また、包装テーブルの中央部上方にフィルム載置部と繰出手段と切断手段が配置されている一方、包装テーブルにその中央部から前後両側に延び、フィルムを包装テーブルの中央から前後逆方向に搬送する前後一対の水平コンベアを設ける一方、切断手段と包装テーブルの間に、繰り出されくるフィルムの先端部を前後一対の水平コンベアのうち、所望する側の水平コンベアに選択的に載せ換える載換手段を設けるように構成すれば、１台の包装機で二人が作業でき、交互に包装作業をロスなく行えると共に、繰出手段と切断手段とが共用できるのでコストをより安くでき、しかも、載せ換え手段によりフィルムの水平コンベアへの載せ換え作業が簡単容易にかつ迅速に行うことができる。
【００３６】
また、載換手段として、切断手段と包装テーブルとの間に繰り出されるフィルムの前後両位置に配設される前後一対のエアー吹出管と、これら吹出管からのエアーの吹き出しを電気信号でいすれか一方のみに選択する操作部とを備え、該操作部の操作によるエアー吹出管の選択により、フィルムの先端部を所望する側の水平コンベアにエアーの吹き付け力で載せ換えるようにすれば、フィルムの水平コンベアへの載せ換え作業がスイッチのワンタッチ操作だけで楽に行うことができる。
【００３７】
さらに、載換手段として、切断手段と包装テーブルとの間に繰り出されるフィルムの前後両位置に揺動可能に配置される前後一対の切換板を備え、これらの切換板の傾きを前後に切り換えることにより、繰り出されてくるフィルムの先端部を所望する側の水平コンベアに案内して載せ換えるようにすれば、載換手段を簡単な構造で安価に取付けることができる。
【図面の簡単な説明】
【図１】  本発明に係る包装機の一部省略左側面図である。
【図２】  同右側面図である。
【図３】  別の実施の形態を示す一部省略左側面図である。
【図４】  さらに別の実施の形態を示す一部省略左側面図である。
【符号の説明】
１          包装機
２          水平コンベア
３          包装テーブル
４          ロールフィルム
５          フィルム載置部
６          繰出部（垂直コンベア）
７          切断部
１１        繰出ベルト
１１ａ      繰出ローラ
１１ｂ      従動ローラ
１２        繰出ベルト
１２ａ      繰出ローラ
１２ｂ      従動ローラ
３１        載換手段
３２Ａ      エアー吹出管
３２Ｂ      エアー吹出管
３５Ａ      切換板
３５Ｂ      切換板
【図１】
0003663487.tif 000002
【図２】
0003663487.tif 000003
【図３】
0003663487.tif 000004
【図４】
0003663487.tif 000005